(57)【要約】【課題】センサが具備されていない建具を含んでいるときでも、より簡易的な構成で適切に建具の制御をすることが可能な建具制御装置を提供する。【解決手段】所定の情報を検知するセンサ（５）を具備する建具（３）のセンサの検知信号を受信する受信手段（２１）と、受信手段で受信した検知信号に基づいて、センサを具備していない他の建具（６、７）についてセンサが具備されていたら必要であったであろう動作を演算する建具動作決定演算手段（２２）と、を有する。【選択図】図２
2013076248.tif 000002
【特許請求の範囲】
【請求項１】
所定の情報を検知するセンサを具備する建具の前記センサの検知信号を受信可能な受信手段と、
前記受信手段で受信した前記検知信号に基づいて、前記センサを具備していない他の建具について前記センサが具備されていたら必要であったであろう動作を演算する建具動作決定演算手段と、
を有する建具制御装置。
【請求項２】
さらに前記建具動作決定演算手段による前記演算の結果を前記他の建具に送信可能な送信手段を有する請求項１に記載の建具制御装置。
【請求項３】
前記受信手段は、前記建具に備えられた前記センサ以外の他のセンサによる検知信号も受信可能とされ、
前記建具動作決定演算手段は、前記他のセンサによる検知信号も含めて前記演算をおこなうことを特徴とする請求項１又は２に記載の建具制御装置。
【請求項４】
所定の情報を検知するセンサを具備する建具と、
前記センサを具備していない他の建具と、
前記センサからの検知信号を受信して前記他の建具に動作信号を送信する建具制御装置と、を備え、
前記建具制御装置は、
前記センサからの検知信号を受信する受信手段と、
前記受信手段で受信した前記検知信号に基づいて前記他の建具について前記センサが具備されていたら必要であったであろう動作を演算する建具動作決定演算手段と、を備える
建具システム。
【請求項５】
前記建具制御装置は、前記演算結果による前記動作信号を前記他の建具に送信する送信手段を備える請求項４に記載の建具システム。
【請求項６】
さらに前記センサとは異なる情報を検知する他のセンサを備え、
前記受信手段は、前記他のセンサによる検知信号も受信し、
前記建具動作決定演算手段は、前記他のセンサによる検知信号も含めて前記演算をおこなうことを特徴とする請求項４又は５に記載の建具システム。
【発明の詳細な説明】
【技術分野】
【０００１】
本発明は、住宅やビル等の建物に配置され、センサ情報に基づいて窓やシャッター等の建具を自動的に制御することが可能な建具制御装置、及び建具システムに関する。
【背景技術】
【０００２】
近年ではセンサ技術が進歩し、機器にセンサが取り付けられ、又は機器とは独立してセンサが設置され、当該センサからの検知信号に基づいて機器の制御が行われることが多い。住宅に用いられる窓やシャッター等の建具にもセンサが具備されているものがある。
【０００３】
特許文献１には、複数の照明器具間の制御に関し、センサを用いて隣接する照明コントローラ間で制御情報を交換することが可能なシステムが開示されている。特許文献２には、センサ同士でネットワークを構成してその情報を外部に伝送するシステムが開示されている。
【先行技術文献】
【特許文献】
【０００４】
【特許文献１】特開２００１−２５０６９５号公報
【特許文献２】特開２００３−１１０７４９号公報
【発明の概要】
【発明が解決しようとする課題】
【０００５】
しかしながら、特に建具の場合には、単にその機能を向上させるのみでなく、外観を考慮する必要がある等の性質上、必ずしも全ての建具に目的のセンサを具備できるとは限らなかった。また、機器とは別の位置に個別にセンサを設置してその情報を用いることも可能であるが、センサを設置するための工事、場所、及びそのための費用がかかり、これを軽減させることができれば非常に有益であった。
【０００６】
そこで本発明は上記の点に鑑み、センサが具備されていない建具を含んでいるときでも、より簡易的な構成で適切に建具の制御をすることが可能な建具制御装置を提供することを課題とする。また、当該建具制御装置を具備する建具システムを提供する。
【課題を解決するための手段】
【０００７】
以下、本発明について説明する。ここでは分かり易さのため、図面に付した参照符号を括弧書きで併せて記載するが、本発明はこれに限定されるものではない。
【０００８】
請求項１に記載の発明は、所定の情報を検知するセンサ（５）を具備する建具（３）のセンサの検知信号を受信可能な受信手段（２１）と、受信手段で受信した検知信号に基づいて、センサを具備していない他の建具（６、７）についてセンサが具備されていたら必要であったであろう動作を演算する建具動作決定演算手段（２２）と、を有する建具制御装置（１０）である。
【０００９】
請求項２に記載の発明は、請求項１に記載の建具制御装置（１０）において、さらに建具動作決定演算手段による演算の結果を他の建具（６、７）に送信可能な送信手段（２５）を有する。
【００１０】
請求項３に記載の発明は、請求項１又は２に記載の建具制御装置（１０）において、受信手段（２１）は、建具に備えられたセンサ以外の他のセンサ（８）による検知信号も受信可能とされ、建具動作決定演算手段（２２）は、他のセンサによる検知信号も含めて演算をおこなうことを特徴とする。
【００１１】
請求項４に記載の発明は、所定の情報を検知するセンサ（５）を具備する建具（３）と、センサを具備していない他の建具（６、７）と、センサからの検知信号を受信して他の建具に動作信号を送信する建具制御装置（１０）と、を備え、建具制御装置は、センサからの検知信号を受信する受信手段（２１）と、受信手段で受信した検知信号に基づいて他の建具についてセンサが具備されていたら必要であったであろう動作を演算する建具動作決定演算手段（２２）と、を備える建具システム（２）である。
【００１２】
請求項５に記載の発明は、請求項４に記載の建具システム（２）において、建具制御装置（１０）は、演算結果による動作信号を他の建具（６、７）に送信する送信手段を備える。
【００１３】
請求項６に記載の発明は、請求項４又は５に記載の建具システム（２）において、さらに前記センサとは異なる情報を検知する他のセンサ（８）を備え、受信手段（２１）は、他のセンサによる検知信号も受信し、建具動作決定演算手段（２２）は、他のセンサによる検知信号も含めて演算をおこなうことを特徴とする。
【発明の効果】
【００１４】
本発明によれば、センサが具備されていない建具を含んでいるときでも、より簡易的な構成で適切に当該センサが具備されていない建具の制御をすることが可能となる。
【図面の簡単な説明】
【００１５】
【図１】１つの実施形態を説明するための住宅を模式的に示した図である。
【図２】建具システムのブロック図である。
【図３】建具システムの動作例の流れを示した図である。
【発明を実施するための形態】
【００１６】
本発明の上記した作用及び利得は、次に説明する発明を実施するための形態から明らかにされる。以下、本発明を図面に示す実施形態に基づき説明する。ただし本発明はこれら実施形態に限定されるものではない。
【００１７】
図１は、１つの実施形態を説明する住宅１を模式的に示した図である。また、図２は建具システム２を説明するためのブロック図である。
住宅１は、建具システム２を有し、該建具システム２には、天窓３、窓６、シャッター７、温度センサ８、及び建具制御装置１０が備えられている。住宅１におけるその他の構成は一般的な住宅と同様である。以下に各構成について説明する。
【００１８】
天窓３はセンサを具備する建具として備えられ、屋根部分において室内外を連通可能に開閉できる天窓である。天窓３は、建具本体４、及び降雨センサ５を有し、建具本体４は駆動部４ａと開閉部４ｂとを含んでいる。
駆動部４ａは開閉部４ｂを電動で開閉させる部位であり、例えばモータや力伝達手段等が配置されている。
開閉部４ｂは、住宅１の躯体に取り付けられる枠、及び該枠内に配置されて駆動部４ａからの駆動力を受けて開閉する開閉部材を有している。
すなわち、開閉部４ｂが駆動部４ａからの駆動力により開放されることにより住宅１の室内外が連通し、開閉部４ｂが駆動部４ａからの駆動力により閉鎖されることにより住宅１の室内外が遮断される。
【００１９】
降雨センサ５は、降雨を検知するセンサであり、建具に備えられるセンサとして機能する。降雨センサ５は、図２からわかるように、その検知信号を駆動部４ａに送信することができるように接続されている。さらに降雨センサ５は建具制御装置１０にもその検知信号を送信することができるように接続されている。
【００２０】
なお、本実施形態ではセンサを具備する建具として天窓を挙げ、ここに備えられるセンサとして降雨センサを一例として挙げたが、これに限定されることはない。すなわち、建具として他の種類の建具が適用されてもよく、ここに備えられるセンサも１又は複数の各種センサであってもよい。センサの種類としては例えば室内外の温度、湿度、気圧、風向き、日照照度、照明照度、気流を検知するセンサ等がある。
【００２１】
窓６は、センサを具備していない他の建具として備えられ、壁部分において室内外を連通可能に開閉する窓である。窓６は、受信部６ａ、駆動部６ｂ、開閉部６ｃを有している。
受信部６ａは、建具制御装置１０からの信号を受信する部位である。当該受信は有線、無線を問わない。
駆動部６ｂは、受信部６ａからの信号に基づき開閉部６ｃを電動で開閉させる部位であり、例えばモータや力伝達手段等が配置されている。
開閉部６ｃは、住宅１の躯体に取り付けられる枠、及び該枠内に配置されて駆動部６ｂからの駆動力を受けて開閉する開閉部材を有している。
【００２２】
シャッター７は、センサを具備していない他の建具として備えられ、壁部分において室内外を連通可能に開閉できるシャッター装置である。シャッター７は、受信部７ａ、駆動部７ｂ、開閉部７ｃを有している。
受信部７ａは、建具制御装置１０からの信号を受信する部位である。当該受信は有線、無線を問わない。
駆動部７ｂは、受信部７ａからの信号に基づき開閉部７ｃを電動で開閉させる部位であり、例えばモータや力伝達手段等が配置されている。
開閉部７ｃは、住宅１の躯体に取り付けられる枠、及び該枠内に配置されて駆動部７ｂからの駆動力を受けて開閉する開閉部材を有している。
【００２３】
温度センサ８は、温度を検知するセンサであり、建具とは無関係に個別に住宅１に配置される他のセンサとして機能する。温度センサ８は、その検知信号を建具制御装置１０に送信することができるように構成されている。ここでは温度センサを例示したが、上記した降雨センサ５と同様、その種類は特に限定されることはない。また、このように建具と無関係に個別に配置されるセンサは必ずしも備えられている必要はない。
【００２４】
建具制御装置１０は、天窓３に備えられる降雨センサ５及び温度センサ８からの検知信号に基づき、センサを備えていない他の建具について、上記したセンサが具備されていたら必要であったであろう動作を決定する演算をし、その結果としての指令信号を窓６、シャッター７に出力する機器である。
建具制御装置１０は、操作手段１７及び情報処理手段２０を備えている。
【００２５】
操作手段１７は、住宅１の室内側に配置され、利用者の操作に供される機器である。利用者は操作手段１７に備えられる各種選択キー等を選択することにより、利用者の意思を建具制御装置１０に反映させることができる。例えば操作手段１７には、天窓３、窓６、シャッター７の開閉動作を指令する基本的な選択手段が具備されていることが好ましい。
このような操作手段１７は、リモコン式や据え付け式等の種類が可能であるが、特に限定されるものでなく、公知のものを適用することができ、その形式は特に限定されるものではない。
【００２６】
情報処理手段２０は、受信手段２１、中央演算子２２、記憶手段２３、ＲＡＭ２４、及び送信手段２５を有して構成されている。
【００２７】
受信手段２１は、上記した天窓３に具備された降雨センサ５、住宅１に個別に設けられた温度センサ８、及び操作手段１７からの信号を適切に取り入れる機能を有する部材であり、これらの手段が接続される。いわゆる入力ポート、入力コネクタ等もこれに含まれる。接続の態様は有線、無線を問わない。
【００２８】
中央演算子２２はいわゆるＣＰＵであり、建具動作決定演算手段として機能する。従って後述する各種演算、及びこれにともなう判断はこの中央演算子２２でおこなわれる。また、中央演算子２２は、その他にも情報処理手段２０に含まれる各部材に接続されて、これらを制御することができるように構成されている。すなわち、中央演算子２２は、記憶媒体として機能する記憶手段２３に記憶された各種プログラムを実行し、これに基づいてセンサが具備されていない他の建具の動作を決定するために演算をおこなう。
【００２９】
記憶手段２３は、中央演算子２２でおこなわれる演算の根拠となる各種プログラムやデータが保存される記憶媒体として機能する部材である。また記憶手段２３には、プログラムの実行により得られた中間、最終の各種結果を保存することができてもよい。
【００３０】
ＲＡＭ２４は、中央演算子２２による演算の作業領域や一時的なデータの記憶手段として機能する部材である。ＲＡＭ２４は、ＳＲＡＭ、ＤＲＡＭ、フラッシュメモリ等で構成することができ、公知のＲＡＭと同様である。
【００３１】
送信手段２５は、得られた結果のうちセンサの備えられていない他の建具、すなわち窓６、シャッター７に対して動作をおこなうための指令信号を送信する機能を有する部材である。いわゆる出力ポート、出力コネクタ等もこれに含まれる。送信の態様は有線、無線を問わない。
【００３２】
このような情報処理手段２０を形成する具体的な態様の例としては、制御基板を挙げることができる。制御基板に備えられる受信手段及び送信手段を情報処理手段２０の受信手段２１及び送信手段２５として用い、制御基板に備えられる記憶装置を記憶手段２３として建具動作決定演算のためのプログラム、及びその他必要なプログラム等を記憶させておくことができる。そして各種演算や制御、指令は制御基板に備えられる中央演算子（ＣＰＵ）が中央演算子２２として機能し、記憶手段２３に記憶された各種プログラムを実行することによりおこなわれる。
情報処理手段２０の形態はこのような制御基板によるものに限定されることはないが、これによればホームサーバー等の高価なネットワーク環境を構築する必要がないので簡易な構成とすることができる。
【００３３】
以上のように構成される建具制御装置１０、建具システム２によれば、いずれかの建具に当初から備えられたセンサをネットワーク接続することによって共有することができる。従って、これによりその種のセンサを備えていない建具に対しても当該センサを備えていると同様に制御することが可能となる。そして、全ての建具に対して重複して別途センサを取り付ける必要がなくなり、工事、場所、及びそのための費用等を削減することができる。
【００３４】
次に、建具制御装置１０を具備する建具システム２の動作の一例について説明する。図３には、動作過程Ｓ１０の流れを示した。図３からわかるように、動作過程Ｓ１０は過程Ｓ１１〜過程Ｓ２４を含んでいる。動作過程Ｓ１０では、過程Ｓ１１で電源が入れられるとその動作を開始し、過程Ｓ１２〜過程Ｓ２４を繰り返しおこなうことにより、自動に情報を取得し、必要に応じて各動作をおこなう。以下各過程について詳しく説明する。
【００３５】
動作過程Ｓ１０で行われる各判断は、上記した建具制御装置１０に備えられた記憶手段２３に記憶されたプログラムに基づいて建具動作決定演算手段として機能する中央演算子２２により演算される。また、少なくとも窓６、シャッター７への当該決定の結果に基づく開閉の指令信号は、建具制御装置１０の送信手段２５から窓６の受信部６ａ、シャッター７の受信部７ａに送信されることにより行われる。そして窓６、シャッター７では当該指令信号に沿って動作する。
【００３６】
過程Ｓ１２は、天窓３に備えられた降雨センサ５から情報を取得し、降雨状態にあるか否かを判断する過程である。降雨状態にあるときには「Ｙ」が選択され、過程Ｓ１９に進む。一方、降雨状態にないときには「Ｎ」が選択され過程Ｓ１３に進む。
【００３７】
過程Ｓ１３は、主に操作手段１７からの指令信号に対して、開閉動作の途中の状態にある窓６、シャッター７の開閉部６ｃ、７ｃの当該動作を停止する必要があるか否かを判断する過程である。ここで動作を停止する必要がなければ「Ｎ」が選択されて過程Ｓ１５に進む。一方、過程Ｓ１３で動作を停止する必要があると判断されれば「Ｙ」が選択されて過程Ｓ１４にて現在行われている動作が停止し、その後過程Ｓ１５に進む。
【００３８】
過程Ｓ１５は、窓６、シャッター７に対する操作手段１７からの指令信号に対して、又は過程Ｓ１４で窓６、シャッター７の動作が停止した状態から開閉部６ｃ、７ｃの開放動作が必要かについて判断する過程である。ここで開閉部６ｃ、７ｃを開放させる必要がないと判断された場合は「Ｎ」が選択されて過程Ｓ１７に進む。一方、過程Ｓ１５で開閉部６ｃ、７ｃを開放させる必要があると判断された場合は「Ｙ」が選択されて過程Ｓ１６にて開閉部６ｃ、７ｃを開放させる動作が行われてその後に過程Ｓ１７に進む。
【００３９】
過程Ｓ１７は、窓６、シャッター７に対する操作手段１７からの指令信号に対して、又は過程Ｓ１４で窓６、シャッター７の動作が停止した状態から開閉部６ｃ、７ｃの閉鎖動作が必要かについて判断する過程である。ここで開閉部６ｃ、７ｃを閉鎖させる必要がないと判断された場合は「Ｎ」が選択されて過程Ｓ１２に戻る。一方、過程Ｓ１７で開閉部６ｃ、７ｃを閉鎖させる必要があると判断された場合は「Ｙ」が選択されて過程Ｓ１８にて開閉部６ｃ、７ｃを閉鎖させる動作が行われてその後に過程Ｓ１２に戻る。
【００４０】
次に、上記した過程Ｓ１２で降雨状態にあると判断されて「Ｙ」が選択された場合について説明する。このときには過程Ｓ１２から過程Ｓ１９に進む。過程Ｓ１９では、天窓３の閉鎖が必要であるかを判断する。過程Ｓ１９にて天窓３の閉鎖が不要であると判断されれば「Ｎ」が選択されて過程Ｓ２１に進む。一方、過程Ｓ１９にて天窓３の閉鎖が必要であると判断されれば「Ｙ」が選択され、過程Ｓ２０にて天窓３の閉鎖が行われ、その後過程Ｓ２１に進む。
天窓３はセンサを具備する建具であるから、当該過程Ｓ１９における判断は天窓３に備えられる構成自身により行われる。
【００４１】
過程Ｓ２１では、窓６の閉鎖が必要であるかを判断する。過程Ｓ２１にて窓６の閉鎖が不要であると判断されれば「Ｎ」が選択されて過程Ｓ２３に進む。一方、過程Ｓ２１にて窓６の閉鎖が必要であると判断されれば「Ｙ」が選択され、過程Ｓ２０にて窓６の閉鎖が行われ、その後過程Ｓ２３に進む。
【００４２】
過程Ｓ２３では、シャッター７の閉鎖が必要であるかを判断する。過程Ｓ２３にてシャッター７の閉鎖が不要であると判断されれば「Ｎ」が選択されて過程Ｓ１２に戻る。一方、過程Ｓ２３にてシャッター７の閉鎖が必要であると判断されれば「Ｙ」が選択され、過程Ｓ２４にてシャッター７の閉鎖が行われ、その後過程Ｓ１２に戻る。
【００４３】
以上のような動作過程Ｓ１０からも、建具制御装置１０、及び建具システム２が、上記した効果を奏するものであることがわかる。
【００４４】
本発明は上記説明した実施形態に限られることなく、本発明の趣旨に反しない限り、変形することは可能である。変形の例としては次のような態様を挙げることができる。
【００４５】
センサを備えていない他の建具の開閉部の開閉状態の情報を建具制御装置に送信することができるように構成してもよい。これにより、建具の開閉状態を把握した上で建具に対してより適切な動作をさせることができる。そのためには、センサを備えていない他の建具には、その開閉状態の情報を含んだ信号を送信する送信手段を備え、これを建具制御装置の受信手段で受信させることによりおこなえばよい。
【００４６】
また、上記実施形態ではセンサを具備する建具は、ここに備えられるセンサからの検知信号に基づいて自身の判断により開閉することとしたが、これに限らずセンサを備える建具であっても建具制御装置からの指令に基づいて動作するように構成してもよい。これによればセンサを具備するか否かにかかわらず一括して建具を制御することができる。そのためには、センサを具備する建具にも受信手段を備え、建具制御装置から送信される信号を受信することが可能なように構成すればよい。
【００４７】
また、上記した実施形態では、建具には備えられていない個別のセンサ（温度センサ８）を設けた。このような個別のセンサは必ずしも設ける必要はないが、より多くの種類のセンサ、及びこれに対応するプログラムを設けることで機能を新たに追加することが可能となる。例えば、トイレ等に設置して健康状態を検知することでヒートショックを和らげる制御等が考えられる。
【００４８】
さらに、建具制御装置をクラウドシステムにつなげてネットワークを構成することにより、地域情報としても活用可能である。これによれば例えば地域における１軒ごとの降雨情報を収集して詳細な地域の降雨分布を作成することができる。
【符号の説明】
【００４９】
１  住宅
２  建具システム
３  天窓（センサを具備する建具）
４  建具本体
５  降雨センサ（建具に備えられるセンサ）
６  窓（センサを具備しない他の建具）
７  シャッター（センサを具備しない他の建具）
８  温度センサ（他のセンサ）
１０  建具制御装置
１７  操作手段
２０  情報処理手段
２１  受信手段
２２  中央演算子（建具動作決定演算手段）
２３  記憶手段
２４  ＲＡＭ
２５  送信手段
【図１】
2013076248.tif 000003
【図２】
2013076248.tif 000004
【図３】
2013076248.tif 000005